(57)【要約】【課題】２種類の帯電粒子同士の衝突を回避することにより、表示切替の応答性を向上できる電気泳動表示媒体を提供する。【解決手段】表示パネル２では、黒色帯電粒子５０及び白色帯電粒子６０は、表面形状が互いに異なっている。例えば、黒色帯電粒子５０を多数のディンプルを表面に備えるディンプル粒子とし、白色帯電粒子６０を多数の子粒子を表面に備える凸型粒子とする。これにより、黒色帯電粒子５０の直進性が向上する一方、白色帯電粒子６０は表示液４０の抵抗を強く受けるので直進性が低下する。つまり、黒色帯電粒子５０は、表示基板１０及び背面基板２０の間を最短距離で移動するが、白色帯電粒子６０はその黒色帯電粒子５０を避けるように移動する。よって、黒色帯電粒子５０と白色帯電粒子６０との衝突を回避できるので表示切替の応答性を向上できる。【選択図】図１
2008052084.tif 000002
【特許請求の範囲】
【請求項１】
互いに離間した一対の基板と、
当該一対の基板の間にスペーサを介して封入される表示液と、
当該表示液内に分散され、電界の作用によって前記表示液内を移動する一対の帯電粒子と
を備え、
前記一対の帯電粒子は、第１帯電粒子と、当該第１帯電粒子とは異なる色及び極性を有する第２帯電粒子とから構成され、
前記第１帯電粒子が前記一対の基板間を移動する際の、前記一対の基板間の最短距離の方向に直交する方向への前記第１帯電粒子の移動量に対する前記最短距離の方向に沿った移動量の割合を示す前記第１帯電粒子の直進性と、前記第２帯電粒子が前記一対の基板間を移動する際の、前記一対の基板間の最短距離の方向に直交する方向への前記第２帯電粒子の移動量に対する前記最短距離の方向に沿った移動量の割合を示す前記第２帯電粒子の直進性とが互いに異なることを特徴とする電気泳動表示媒体。
【請求項２】
前記第１帯電粒子の形状と、前記第２帯電粒子の形状とが互いに異なることを特徴とする請求項１に記載の電気泳動表示媒体。
【請求項３】
前記第１帯電粒子の表面形状はディンプル構造であることを特徴とする請求項１又は２に記載の電気泳動表示媒体。
【請求項４】
前記第１帯電粒子は、架橋重合粒子であることを特徴とする請求項３に記載の電気泳動表示媒体。
【請求項５】
前記第２帯電粒子の表面形状は凸形状になっていることを特徴とする請求項１乃至３の何れかに記載の電気泳動表示媒体。
【請求項６】
前記第２帯電粒子は母粒子と、
当該母粒子の表面に結合され、前記母粒子よりも径の小さい子粒子と
から構成されていることを特徴とする請求項５に記載の電気泳動表示媒体。
【請求項７】
前記子粒子は、ハイブリダイゼーション法により、前記母粒子の表面に物理的に結合されていることを特徴とする請求項６に記載の電気泳動表示媒体。
【請求項８】
前記一対の基板は、透明な表示基板と背面基板とから構成され、
前記表示基板に設けられる第１電極と、前記背面基板に設けられる第２電極とを備え、
前記第２電極の表面積は、前記第１電極の表面積よりも小さいことを特徴とする請求項１乃至７の何れかに記載の電気泳動表示媒体。
【請求項９】
複数の前記第１帯電粒子が、前記第１基板又は前記第２基板の表面に沿って最密に１層からなる第１帯電粒子層を形成した場合に、
当該第１帯電粒子層の端に位置する前記第１帯電粒子と前記スペーサとの間には、少なくとも１個の前記第２帯電粒子が配置可能な隙間があることを特徴とする請求項１乃至７の何れかに記載の電気泳動表示媒体。
【発明の詳細な説明】
【技術分野】
【０００１】
本発明は、電気泳動表示媒体に関し、詳細には、電気泳動現象を利用して画像を表示する電気泳動表示媒体に関する。
【背景技術】
【０００２】
従来より、電気泳動現象を利用して表示パネル（電気泳動表示媒体）に画像を表示する電気泳動表示装置が知られている。この表示パネルは、透明な表示基板と、該表示基板に対向して配置される背面基板と、表示基板及び背面基板の各表面に各々形成される一対の電極と、表示基板及び背面基板の間にスペーサを介して封入される表示液と、該表示液中に分散する２種の帯電粒子とを主体に構成されている。帯電粒子は、黒色帯電粒子と、該黒色帯電粒子とは異なる極性に帯電する白色帯電粒子とで構成されているのが一般的である。このような表示パネルの一例として、例えば、少なくとも一方が透明な２枚の対向する電極と、両電極の周縁部内面に配置されたスペーサーとで形成されるセル内に、高絶縁性低粘度の無着色分散媒中に色調及び帯電特性が互いに異なる少なくとも２種の電気泳動性微粒子（帯電粒子）を分散した液を封入してなる電気泳動表示素子（電気泳動表示媒体）が知られている（例えば、特許文献１参照）。
【０００３】
この電気泳動表示素子では、一対の電極間に電圧が印加され、分散媒中に電界が発生すると、各電気泳動性微粒子が電気泳動を起こし、一方の電気泳動微粒子はその帯電極性に応じて一方の電極に移動して付着し、他方の電気泳動微粒子は他方の電極に移動して付着する。このときその透明な電極上には、その電極に付着する電気泳動性微粒子の色調が表示される。
【特許文献１】特開昭６２−２６９１２４号公報
【発明の開示】
【発明が解決しようとする課題】
【０００４】
しかしながら、特許文献１に記載の電気泳動表示素子では、多数の電気泳動性微粒子を分散媒中に内包しているので、分散媒にかかる電界の向きが切り替わると、２種類の電気泳動性微粒子は互いに反対の電極に向かってそれぞれ移動する。このとき、互いに異なる電気泳動性微粒子の一部はその移動中に互いに衝突してしまうので、表示切替に要する時間が長くなるという問題点があった。
【０００５】
本発明は、上述の課題を解決するためになされたものであり、２種類の帯電粒子同士の衝突を回避することにより、表示切替の応答性を向上できる電気泳動表示媒体を提供することを目的とする。
【課題を解決するための手段】
【０００６】
上記目的を達成するために、請求項１に係る発明の電気泳動表示媒体は、互いに離間した一対の基板と、当該一対の基板の間にスペーサを介して封入される表示液と、当該表示液内に分散され、電界の作用によって前記表示液内を移動する一対の帯電粒子とを備え、前記一対の帯電粒子は、第１帯電粒子と、当該第１帯電粒子とは異なる色及び極性を有する第２帯電粒子とから構成され、前記第１帯電粒子が前記一対の基板間を移動する際の、前記一対の基板間の最短距離の方向に直交する方向への前記第１帯電粒子の移動量に対する前記最短距離の方向に沿った移動量の割合を示す前記第１帯電粒子の直進性と、前記第２帯電粒子が前記一対の基板間を移動する際の、前記一対の基板間の最短距離の方向に直交する方向への前記第２帯電粒子の移動量に対する前記最短距離の方向に沿った移動量の割合を示す前記第２帯電粒子の直進性とが互いに異なることを特徴とする。
【０００７】
また、請求項２に係る発明の電気泳動表示媒体は、請求項１に記載の発明の構成に加え、前記第１帯電粒子の形状と、前記第２帯電粒子の形状とが互いに異なることを特徴とする。
【０００８】
また、請求項３に係る発明の電気泳動表示媒体は、請求項１又は２に記載の発明の構成に加え、前記第１帯電粒子の表面形状はディンプル構造であることを特徴とする。
【０００９】
また、請求項４に係る発明の電気泳動表示媒体は、請求項３に記載の発明の構成に加え、前記第１帯電粒子は、架橋重合粒子であることを特徴とする。
【００１０】
また、請求項５に係る発明の電気泳動表示媒体は、請求項１乃至３の何れかに記載の発明の構成に加え、前記第２帯電粒子の表面形状は凸形状になっていることを特徴とする。
【００１１】
また、請求項６に係る発明の電気泳動表示媒体は、請求項５に記載の発明の構成に加え、前記第２帯電粒子は母粒子と、当該母粒子の表面に結合され、前記母粒子よりも径の小さい子粒子とから構成されていることを特徴とする。
【００１２】
また、請求項７に係る発明の電気泳動表示媒体は、請求項６に記載の発明の構成に加え、前記子粒子は、ハイブリダイゼーション法により、前記母粒子の表面に物理的に結合されていることを特徴とする。
【００１３】
また、請求項８に係る発明の電気泳動表示媒体は、請求項１乃至７の何れかに記載の発明の構成に加え、前記一対の基板は、透明な表示基板と背面基板とから構成され、前記表示基板に設けられる第１電極と、前記背面基板に設けられる第２電極とを備え、前記第２電極の表面積は、前記第１電極の表面積よりも小さいことを特徴とする。
【００１４】
また、請求項９に係る発明の電気泳動表示媒体は、請求項１乃至７の何れかに記載の発明の構成に加え、複数の前記第１帯電粒子が、前記第１基板又は前記第２基板の表面に沿って最密に１層からなる第１帯電粒子層を形成した場合に、当該第１帯電粒子層の端に位置する前記第１帯電粒子と前記スペーサとの間には、少なくとも１個の前記第２帯電粒子が配置可能な隙間があることを特徴とする。
【発明の効果】
【００１５】
請求項１に係る発明の電気泳動表示媒体では、一対の基板の間に封入された表示液に電界がかけられると、第１帯電粒子は自身の帯電極性に応じて一方の基板側に移動し、第２帯電粒子は自身の帯電極性に応じて他方の基板側に移動する。そして、第１帯電粒子の直進性と第２帯電粒子の直進性とが互いに異なるので、直進性の低い方の帯電粒子は、直進性の高い方の帯電粒子の移動を避けるようにして移動する。これは、直進性の低い方の帯電粒子が、直進性の高い方の帯電粒子に比べて周囲から受ける抵抗を強く受けるからである。つまり、直進性の低い方の帯電粒子は、直進性の高い方の帯電粒子の流れを抵抗として受けるので、その抵抗を避けるようにして移動する。よって、第１帯電粒子及び第２帯電粒子が互いに衝突するのを効果的に回避できるので、第１帯電粒子及び第２帯電粒子の移動時間を短縮することができ、表示切替に要する時間を短縮することができる。
【００１６】
また、請求項２に係る発明の電気泳動表示媒体では、請求項１に記載の発明の効果に加え、第１帯電粒子の形状と、第２帯電粒子の形状とが互いに異なるので、表示液の流れに対する抵抗を互いに異ならせることができる。これにより、第１帯電粒子の直進性と、第２帯電粒子の直進性とを互いに異ならせることができる。
【００１７】
また、請求項３に係る発明の電気泳動表示媒体では、請求項１又は２に記載の発明の効果に加え、第１帯電粒子の表面形状はディンプル構造であるので、ディンプル付きのゴルフボールと同様に直進性を向上させることができる。つまり、ディンプルによって第１帯電粒子の後方に表示液がスムーズに回り込むことにより、表示液による抵抗が軽減されて直進性を向上することができる。したがって、第１帯電粒子の直進性を第２帯電粒子の直進性よりも高くできるので、第１帯電粒子及び第２帯電粒子が互いに衝突するのを効果的に回避することができる。
【００１８】
また、請求項４に係る発明の電気泳動表示媒体では、請求項３に記載の発明の効果に加え、第１帯電粒子は、モノマーを重合させて化学的に得られる架橋重合粒子であるので、その表面に複数の凹部を有するディンプル構造を容易に形成することができる。
【００１９】
また、請求項５に係る発明の電気泳動表示媒体では、請求項１乃至３の何れかに記載の発明の効果に加え、第２帯電粒子の表面形状は凸形状になっているので、表示液の流れに対する抵抗を高くすることができる。これにより、第２帯電粒子の直進性を、第１帯電粒子の直進性よりも低くすることができる。また、第２帯電粒子の直進性が低下するので、第２帯電粒子は第１帯電粒子の移動を避けるようにして移動する。これにより、第１帯電粒子及び第２帯電粒子が互いに衝突する確率を低減できるので、第１帯電粒子及び第２帯電粒子の移動時間を短縮することができる。
【００２０】
また、請求項６に係る発明の電気泳動表示媒体では、請求項５に記載の発明の効果に加え、第２帯電粒子は、母粒子に結合された子粒子によって、第２帯電粒子にかかる表示液による抵抗を容易に高くすることができる。これにより、第１帯電粒子の直進性よりも低い直進性を備える第２帯電粒子を形成することができる。
【００２１】
また、請求項７に係る発明の電気泳動表示媒体では、請求項６に記載の発明の効果に加え、子粒子は、ハイブリダイゼーション法により、母粒子の表面に物理的に強固に結合されているので、表示液中で子粒子が母粒子の表面から剥がれ落ちることがない。
【００２２】
また、請求項８に係る発明の電気泳動表示媒体では、請求項１乃至７の何れかに記載の発明の効果に加え、第１電極に付着していた一方の帯電粒子は、第１電極の表面積よりも小さい表面積を有する第２電極に向かって収束するように移動する。また、第２電極に付着していた他方の帯電粒子は、第１電極に向かって拡散するように移動する。つまり、収束するように第２電極に移動する一方の帯電粒子に対し、他方の帯電粒子は、一方の帯電粒子から逃げるように外側に拡散しながら第１電極に移動する。これにより、例えば、多数の第１帯電粒子が第１電極の表面に隙間無く付着している場合でも、多数の第１帯電粒子は第２電極に向かって収束するように移動する。つまり、収束して移動する第１帯電粒子の外側に、第２帯電粒子が通過できる空間が形成されるので、第１帯電粒子及び第２帯電粒子の衝突を効果的に回避することができる。さらに、第１電極を表示基板側に設け、第２電極を背面基板側に設けることによって、表示基板に表示される色の領域を狭めることがない。
【００２３】
また、請求項９に係る発明の電気泳動表示媒体では、請求項１乃至７の何れかに記載の発明の効果に加え、例えば、第１帯電粒子が最密に１層に配列した状態で一方の基板から他方の基板側に移動した場合でも、第２帯電粒子は、その端に位置する第１帯電粒子とスペーサとの間の隙間を通過することができる。これにより、第１帯電粒子及び第２帯電粒子が互いに衝突する頻度を効果的に少なくすることができる。
【発明を実施するための最良の形態】
【００２４】
以下、本発明の一実施形態である表示パネル２について、図面を参照して説明する。図１は、表示パネル２の概略構成を示す断面図であり、図２は、黒色帯電粒子５０の正面図であり、図３は、白色帯電粒子６０の正面図であり、図４乃至図８は、黒色帯電粒子５０及び白色帯電粒子６０の動きを示す説明図である。なお、図１，図５乃至図８において、表示パネル２の上側の面を表示パネル２の上面とし、下側の面を表示パネル２の下面とする。
【００２５】
本実施形態の表示パネル２は、例えば、携帯用の電子機器等に搭載されるものであり、制御装置（図示外）に駆動制御されることによって種々の画像を表示できるものである。なお、図１に示す表示パネル２が、本発明の「電気泳動表示媒体」に相当する。
【００２６】
まず、表示パネル２の構成について説明する。図１に示すように、表示パネル２は、上側に略水平に設けられる表示基板１０と、該表示基板１０の下側に、スペーサ３１を介して略水平に対向配置された背面基板２０とを備えている。なお、本実施形態では、この表示基板１０と背面基板２０との離間幅は２５μｍに調整されている。そして、表示基板１０と背面基板２０とに挟まれる隙間には、隔壁３２によって区分けされた複数の表示部３０が格子状に形成されている。なお、この隔壁３２は、各画素の周囲を取り囲むようにして設けられている。
【００２７】
次に、表示基板１０の構造について説明する。図１に示すように、表示基板１０は、透明部材により形成され、表示面となる表示層１１と、当該表示層１１の下面側に設けられ、表示部３０に電界を発生させる透明な表示電極層１２とから構成されている。そして、表示層１１は、高い透明性と高い絶縁性を有する材料によって形成され、例えば、ポリエチレンナフタレート、ポリエーテルサルホン、ポリイミド、ポリエチレンテレフタレート、ガラス等が使用される。一方、表示電極層１２は、高い透明性を有し、電極として利用できる材料によって形成され、例えば、金属酸化物である酸化インジウムスズ、フッ素がドープされた酸化スズ、インジウムや酸化アルミニウムがドープされた酸化亜鉛等が使用される。なお、本実施形態では、表示層１１は透明なガラス基板であり、表示電極層１２は酸化インジウムスズにより形成された透明電極である。このような構造を備えることにより、利用者は、透明な表示基板１０を介して表示部３０を視認することができる。
【００２８】
次に、背面基板２０の構造について説明する。図１に示すように、背面基板２０は、表示パネル２を支持する筐体支持層２１と、該筐体支持層２１の上面に各表示部３０毎に設けられ、それぞれの表示部３０に電界を発生させる背面電極層２２とから構成されている。そして、筐体支持層２１は、高い絶縁性を有する材料が使用され、例えば、ガラスや絶縁処理された金属フィルム等の無機材料や、ポリエチレンテレフタレート等の有機材料が使用される。なお、背面基板２０を形成する各層は、表示基板１０とは異なり、透明でも有色でもよい。本実施形態では、筐体支持層２１はガラス基板であり、背面電極層２２は酸化インジウムスズにより形成された電極である。
【００２９】
そして、各背面電極層２２にはチャネルＣＨ１が、表示電極層１２にはチャネルＣＨ２が各々接続されている。そして、図示外の制御装置によってこれらのチャネルＣＨ１、チャネルＣＨ２が各々制御され、背面電極層２２、表示電極層１２に電圧が印加されると、表示部３０に電界が発生するようになっている。本実施形態では、表示電極層１２を基準電位（ゼロボルト）とし、背面電極層２２にプラスの電圧が印加されると、背面電極層２２がプラス、表示電極層１２がマイナスとなる。また、背面電極層２２にマイナスの電圧が印加されると、背面電極層２２がマイナス、表示電極層１２がプラスとなる。なお、これとは逆に、表示電極層１２を基準電位（ゼロボルト）としてもよい。また、電界の発生方法はこれら以外の方法でもよい。
【００３０】
次に、表示部３０の構造について説明する。図１に示すように、表示基板１０と背面基板２０との間にはスペーサ３１が設けられ、該スペーサ３１は、表示パネル２の外周に沿って配設されている。さらに、表示基板１０と背面基板２０とスペーサ３１との間には、密閉空間が形成されている。そして、その密閉空間は、隔壁３２によって複数の表示部３０に均等に分割され、分割された１つの表示部３０において１つの画素が形成されている。よって、表示パネル２は、複数の表示部３０が格子状に並んで形成されたパネルとして構成されている。なお、スペーサ３１及び隔壁３２は、ポリエチレンテレフタレートの樹脂フィルムが使用されている。また、各表示部３０の密閉空間内には、表示液４０が封入されている。
【００３１】
次に、表示液４０について説明する。この表示液４０は、白色を呈する複数の白色帯電粒子６０と、黒色を呈する複数の黒色帯電粒子５０とがそれぞれ分散する分散媒である。ここで、分散媒とは、粒子（分散質）が分散する液体物質をいう。本実施形態の表示液４０は、黒色帯電粒子５０及び白色帯電粒子６０を分散質とし、無極性溶媒に所定量の極性溶媒を添加した液体物質が分散媒である。そして、無極性溶媒には、主に炭化水素系溶剤が使用される。本実施形態では、パラフィン系溶剤（７３ｗｔ％）（商品名「Ｉｓｏｐａｒ  Ｇ」：エクソンモービル社製）が使用されている。一方、極性溶媒には、無極性溶媒に可溶なアルコールが使用されている。本実施形態では、ヘキサノールが使用されている。なお、表示液４０中の極性溶媒の一部が、白色帯電粒子６０及び黒色帯電粒子５０の周囲に留まることによって帯電性を向上させるものである。
【００３２】
次に、本発明の特徴である黒色帯電粒子５０及び白色帯電粒子６０について説明する。図１に示すように、表示液４０内に分散する一対の帯電粒子は、黒色帯電粒子５０と、白色帯電粒子６０である。そして、本実施形態では、黒色帯電粒子５０をプラス（＋）に帯電させ、白色帯電粒子６０をマイナス（−）に帯電させている。よって、表示基板１０側をマイナス、背面基板２０側をプラスにして表示部３０に電界を発生させた場合、黒色帯電粒子５０は表示基板１０側に移動し、白色帯電粒子６０は背面基板２０側に移動する。このとき、表示基板１０には黒色が表示される。また、表示基板１０側をプラス、背面基板２０側をマイナスにして表示部３０に逆向きの電界を発生させた場合、黒色帯電粒子５０は背面基板２０側に移動し、白色帯電粒子６０は表示基板１０側に移動する。このとき、表示基板１０に表示されていた黒色は白色に切り替わる。なお、後述するが、この黒色と白色の表示切替時間は、黒色帯電粒子５０及び白色帯電粒子６０の表示液中の移動時間によって大きく影響を受ける。
【００３３】
ここで、帯電粒子の「直進性」について説明する。帯電粒子の直進性とは、帯電粒子が表示基板１０と背面基板２０との間を移動する際の、表示基板１０と背面基板２０との最短距離の方向に直交する方向への帯電粒子の移動量に対する最短距離の方向に沿った移動量の割合を示すものである。つまり、最短距離の方向に沿った移動量が、最短距離の方向に直交する方向への移動量よりも高ければ高いほど直進性は高くなる。その逆に、最短距離の方向に直交する方向への移動量が、最短距離の方向に沿った移動量より高ければ高いほど直進性は低くなる。一般的に、周囲の液体の抵抗を受けにくい表面形状を備える粒子は直進性が高く、周囲の抵抗を受けやすい表面形状を備える粒子は直進性が低いといえる。
【００３４】
そして、本実施形態では、互いに表面形状の相異なる黒色帯電粒子５０及び白色帯電粒子６０を用いることによって、黒色帯電粒子５０の直進性と、白色帯電粒子６０の直進性とを互いに異ならせている。これにより、黒色帯電粒子５０と白色帯電粒子６０の衝突頻度を回避して、表示切替時間を短縮することができる。なお、この表示切替時間の短縮効果については後述する。
【００３５】
次に、黒色帯電粒子５０の構造について説明する。図２に示すように、黒色帯電粒子５０は、所謂「重合ディンプル粒子」であり、略球状の表面に多数のディンプル５１を備えるものである。そして、これら多数のディンプル５１によって、表示液４０中の移動における直進性を向上することができる。なお、ディンプル構造による黒色帯電粒子５０の直進性向上の効果およびその評価については後述する。
【００３６】
次に、ディンプル構造を備える黒色帯電粒子５０の作製方法について説明する。この黒色帯電粒子５０の基礎となる黒色ディンプル粒子は、モノマーを重合しつつ架橋剤を添加することによって得られる架橋重合粒子である。この架橋重合粒子の製造方法は、モノマーを重合しつつ架橋剤を添加して、重合ディンプル粒子を製造する重合粒子製造工程と、その製造した重合粒子に染料等を介して染着処理する染着工程とから構成されている。以下、各工程を順に説明する。
【００３７】
まず、重合粒子製造工程について説明する。はじめに、攪拌機、冷却管、温度計、ガス導入管等を備える反応器に、溶媒として、メタノール（関東化学（株）製）５８２ｇ、及びイソプロピルアルコール（関東化学（株）製）１４５ｇを充填し、更に分散剤として、ポリビニルビロリドン（ナカライテスク（株）製Ｋ−３０）３０ｇ、１−ヘキサデカノール（ナカライテスク（株））７ｇを投入する。続いて、樹脂材料となるモノマーとして、スチレンモノマー（関東化学（株）製）２０７ｇ、及びｎ−ブチルアクリレート（関東化学（株）製）４３ｇを反応器に投入した後、反応器内にガス導入管から窒素ガスを充填して窒素ガス置換を行なう。
【００３８】
この後、重合開始剤として、α，α’−アゾビスイソブチロニトリル（関東化学（株）製）１５ｇを反応器内に投入する。そして、前記のように調整された溶液を攪拌機により攪拌しつつ、約６０℃に加温して８時間重合させる。かかる重合反応により、球状の重合粒子（スチレン／ｎ−ブチルアクリレート共重合体）が得られる。ここで、重合粒子は、ほぼ球状の形状を有しており、また、重合粒子における平均粒子径及び分散度は、分散度測定器（コールター製コールターマルチサイザーを使用）にて測定したところ、平均粒子径約４μｍ、分散度１．０３であることが確認された。
【００３９】
そして、前記のような球状の重合粒子が得られた後、重合反応系中に架橋剤として、ジビニルベンゼン（ナカライテスク（株）製）５ｇを添加し、更に約２時間の重合反応を行なう。このように生成された重合粒子を分散媒から分別して乾燥させると、図２に示すような複数のディンプルを表面に有する重合粒子が得られる。なお、この重合粒子の平均粒子径は４．９μｍ、分散度は１．０５であった。ここで、前記のようにモノマーの重合途中で重合反応系中に添加された架橋剤は、粒子径約４μｍまで成長した球状の重合粒子から重合反応が進行するに伴い、更に大きな粒子径の重合粒子に成長していく過程において、モノマー分子間でランダムに架橋反応を起こすものであり、その結果、重合粒子の表面部には、複数のディンプルが形成されるものと考えられる。
【００４０】
また、架橋剤を添加する時点において生成されている重合粒子の粒子径と、添加される架橋剤の添加量との間には相互関係が存在する。例えば、架橋剤を添加する時点における重合粒子の粒子径が小さい場合には、添加する架橋剤の添加量を多くしないと、重合粒子にディンプルが形成され難く、一方、架橋剤の添加時点で重合粒子が大きな粒子径を有している場合には、架橋剤の添加量が少量であっても、重合粒子にディンプルが形成され易い。例えば、架橋剤を添加する時点における重合粒子の粒子径が、３〜６μｍの範囲にある場合には、モノマーの仕込量に対して１％以上の架橋剤を添加すれば、重合粒子にディンプルの形成が可能であり、望ましくは２％以上、更に、望ましくは３％以上添加するのがよい。
【００４１】
また、重合粒子の平均粒子径に応じて、架橋剤の添加量を調整することが望ましい。例えば、重合粒子の粒子径が２〜８μｍの範囲にある場合、架橋剤はモノマーの仕込量に対して８％〜１％添加するのがよく、また、重合粒子の粒子径が１〜１０μｍの範囲にある場合には、１０％〜０．１％の架橋剤を添加するのがよい。なお、本実施例に使用可能な架橋剤はジビニルベンゼンに限定されることはなく、以下に示す各種の化合物が架橋剤として使用することができる。例えば、芳香族ジビニル化合物、ビニル基を２つ以上有するカルボン酸エステル等が使用可能である。
【００４２】
ここに、芳香族ジビニル化合物としては、ジビニルナフタレン、Ｎ，Ｎ−ジビニルアニリン及びその誘導体がある。また、ビニル基を２つ以上有するカルボン酸エステルとしては、ポリエチレングリコールジメタクリレート、ポリエチレングリコールジアクリレート、トリエチレングリコールジメタクリレート、トリエチレングリコールジアクリレート、１，３−ブチレングリコールジメタクリレート、１，３−ブチレングリコールジアクリレート、１，６−ヘキシレングリコールジメタクリレート、１，６−ヘキシレングリコールジアクリレート、ネオベンチルグリコールジメタクリレート、ネオベンチルグリコールジアクリレート、ジプロピレングリコールジメタクリレート、ジプロピレングリコールジアクリレート、ポリプロピレングリコールジメタクリレート、ポリプロピレングリコールジアクリレート、２，２−ビス（４−メタクリロキシジエトキシフェニル）プロパン、２，２−ビス（４−アクリロキシジエトキシフェニル）プロパン、トリメチロールプロパントリメタクリレート、トリメチロールプロパントリアクリレート、テトラメチロールメタンテトラメタクリレート、テトラメチロールメタンテトラアクリレート、ジブロムネオペンチルグリコールジメタクリレート、ジブロネオペンチルグリコールジアクリレート、フタル酸ジアクリル、エチレングリコールジメタクリレート、エチレングリコールジアクリレート、ジエチレングリコールジメタクリレート、ジエチレングリコールジアクリレート、トリメチロールプロパントリメタクリレート、トリメチロールプロパントリアクリレート、アリルメタクリレート、アリルアクリレート、ｔ−ブチルアミノエチルジメタクリレート、ｔ−ブチルアミノエチルジアクリレート、テトラエチレングリコールジメタクリレート、テトラエチレングリコールジアクリレート、１，３−ブタンジオールジメタクリレート、１，３−ブタンジオールジアクリレート等がある。その他、ジビニルエーテル、ジビニルスルフィド、ジビニルスルホン等のジビニル化合物やビニル基を３つ以上有する化合物が単独又は混合物として使用可能である。
【００４３】
次に、染着工程について説明する。まず、黒色染料（オリエント化学（株）製  オイルブラック８６０）１５．０ｇ、及び、荷電制御剤（オリエント化学（株）製  Ｅ−８４）６．０ｇを分散溶媒としてのエタノール７５０ｃｃ中に分散して染着溶液を調整する。かかる染着溶液に対して、前述したようにして得られたディンプル付き重合粒子１５０ｇを加えて、３０℃に加温しながら約１時間攪拌する。これにより、ディンプル付き重合粒子は黒色染料により染着される。その後洗着されたディンプル付き重合粒子と分散溶媒とをろ過により分別し、乾燥した黒色粒子を得ることができる。そして、この黒色粒子を表示液４０中でプラスに帯電させることにより、黒色帯電粒子５０を得ることができる。
【００４４】
次に、白色帯電粒子６０について説明する。図３に示すように、白色帯電粒子６０は、球状の母粒子６１と、該母粒子６１の表面に接合され、母粒子６１よりも小さい多数の子粒子６２とから構成された、所謂「凸型粒子」である。母粒子６１は帯電可能な材料で形成され、例えば、アクリル樹脂等が使用される。このアクリル樹脂の例としては、ポリアクリル酸や、そのエステル類等が挙げられる。なお、アクリル樹脂の他にも、ＰＣ（ポリカーボネイト）、ＨＤＰＥ（高密度ポリエチレン）、ＰＰ（ポリプロピレン）、ＡＢＳ（アクリロニトリルブタジエンスチレン）、ＰＥＴ（ポリエチレンテレフタレート）、ＰＯＭ（ポリアセタール）等が利用可能である。一方、子粒子６２は、母粒子６１の表面に一部が埋没した状態で機械的に結合されている。この子粒子６２によって、白色帯電粒子６０は、表示液４０内の移動中に受ける抵抗が高くなるので、移動における直進性を低下させることができる。
【００４５】
次に、母粒子６１に対する子粒子６２の接合方法について説明する。図３に示すように、子粒子６２は、ハイブリダイゼーション法によって母粒子６１の表面に機械的に接合されている。具体的には、子粒子６２は、その一部が埋没した状態で母粒子６１の表面に接合されている。このハイブリダイゼーション法の処理方法は以下の通りである。まず、処理装置は、奈良機械製作所製のハイブリダイゼーションシステム（ＮＨＳ）を使用した。このＮＨＳは、粉体同士の混合物を形成する混合機と、乾式で微粉体同士を接合するハイブリダイザーと、捕集器と、各装置を制御する制御盤と、装置を操作するための操作盤とから構成されている。まず、母粒子となる粉体を１０ｇと、子粒子となる粉体０．４ｇとを混合機で混合する。次いで、ハイブリダイザーに投入する。そして、ハイブリダイザーでは、２５℃、９７００ｒｐｍで３分間の処理を行った。すると、ハイブリダイザーでは、粒子が気相中に分散しながら、衝撃力主体とする機械的熱的エネルギーが粒子に与えられることによって固定化処理が行われる。そして、その生成した処理粉体は捕集器によって速やかに捕集される。こうして、母粒子６１の表面に子粒子６２が結合した白色帯電粒子６０を生成することができる。
【００４６】
なお、本実施形態では、子粒子６２は、ハイブリダイゼーション法によって母粒子６１の表面に機械的に接合されているが、化学的に接合してもよい。また、母粒子６１の表面を加工することによって複数の凸形状を形成してもよい。さらには、母粒子６１の形状そのものを変えて凸形状を形成してもよい。
【００４７】
次に、表示パネル２の駆動時における黒色帯電粒子５０及び白色帯電粒子６０のそれぞれの動きについて、図４乃至図８を参照して説明する。なお、図４乃至図８では、黒色帯電粒子５０及び白色帯電粒子６０の動きを明確に説明するため、便宜上、粒子径、粒子数等を変更して示すものとする。
【００４８】
まず、図４に示すように、表示電極層１２をマイナス、背面電極層２２をプラスにして表示部３０に電界を発生させた場合、プラスに帯電した黒色帯電粒子５０は表示基板１０側に移動して表示電極層１２に付着し、白色帯電粒子６０は背面基板２０側に移動して背面電極層２２に付着する。このとき、表示基板１０には黒色が表示される。次いで、黒色帯電粒子５０の全てを表示電極層１２の中央に寄せ集め、最密に１層からなる黒色帯電粒子層を形成する。なお、最密とは、隣り合う黒色帯電粒子５０同士が接触した状態を意味する。そして、この状態を表示パネル２の断面で見たときに、黒色帯電粒子層の両側に位置する黒色帯電粒子５０とスペーサ３１又は隔壁３２との間には、少なくとも１個の白色帯電粒子６０が配置可能な隙間が設けられている。これは、電界が切り替わり、表示液４０内を直進して移動する黒色帯電粒子５０に対して、その両側の隙間を介して白色帯電粒子６０を通過させることによって、異なる粒子同士の衝突を避けるためである。なお、前記隙間の間隔は、各粒子径、各粒子数、スペーサ３１（隔壁３２）と隔壁３２の間の距離等により調整される。
【００４９】
次に、表示電極層１２をプラス、背面電極層２２をマイナスにして表示部３０にかかる電界の向きが切り替わった場合、図５に示すように、黒色帯電粒子５０は表示電極層１２から離れ、白色帯電粒子６０は背面電極層２２から離れる。さらに、図６に示すように、直進性の高い黒色帯電粒子５０は、その配列をほとんど崩すことなく、背面電極層２２に向かって移動する。一方、表示液４０の抵抗を受け易い白色帯電粒子６０は、黒色帯電粒子５０の移動に伴う表示液４０の流れに背面基板２０側に押されるため、その中央で２つの集合に分断される。そして、一列に並んだ黒色帯電粒子５０の両側の隙間に向かって回り込むようにそれぞれ移動する。つまり、黒色帯電粒子５０が白色帯電粒子６０に近づけば近づくほど、白色帯電粒子６０は表示液４０に押し流され、黒色帯電粒子５０から離れる方向に移動する。これにより、黒色帯電粒子５０と白色帯電粒子６０との衝突を回避できる。また、表示切替が複数回繰り返された場合でも、黒色帯電粒子層が直進して表示液４０内を移動することから、黒色帯電粒子層の両側の隙間が保持されるので、異なる粒子同士の衝突をさらに回避することができる。
【００５０】
さらに、黒色帯電粒子５０は背面電極層２２に向かって移動し、白色帯電粒子６０はその黒色帯電粒子５０の周囲を回り込みながら表示電極層１２に向かって移動する。よって、図７に示すように、黒色帯電粒子５０の配置と、白色帯電粒子６０の配置とが互いに入れ替わって逆転する。そして、図８に示すように、黒色帯電粒子５０は背面電極層２２に一列に並んだ状態でそのまま付着し、白色帯電粒子６０も表示電極層１２に一列に配列した状態で付着する。このとき、表示基板１０には白色が表示される。このように、直進性の互いに異なる２種類の粒子を用いることによって、異なる粒子同士の衝突を避けることができる。これにより、黒色帯電粒子５０と白色帯電粒子６０との入れ替わりに要する時間を短縮できるので、表示パネル２の表示切替の応答性を向上できる。
【００５１】
次に、ディンプル粒子の直進性評価試験について説明する。この試験は、ディンプル粒子の直進性を評価するためのものである。まず、試験方法について説明する。本試験では、図９に示すように、表示パネル２と同様の構成を備える実験用のセル５００を使用した。このセル５００は、第１基板１００と第２基板２００とを備え、その間にスペーサ３１０を介して形成される表示部３００に表示液４００を封入したものである。なお、第１基板１００は、表示層１１０と、該表示層１１の内面（表示部３００に対向する面）に設けられた第１電極層１２０とから構成され、第２基板２００は、筐体支持層２１０と、該筐体支持層２１０の内面（表示部３００に対向する面）に設けられた第２電極層２２０とから構成されている。なお、第１基板１００と第２基板２００との離間幅は１ｃｍとした。さらに、この表示液４００内には、０．１ｗｔ％のテスト粒子８０を投入した。また、テスト粒子８０はマイナスに帯電させた。
【００５２】
また、セル５００の第１電極層１２０は配線を介してグランド７１に接続され、第２電極層２２０は、配線を介してスイッチ７２に接続され、該スイッチ７２は２００Ｖの直流電源７３のプラス側に接続され、該直流電源７３のマイナス側は配線を介してグランド７４に接続されている。よって、スイッチ７２をオンすると、第１電極層１２０が基準電位（ゼロボルト）となり、第２電極層２２０にプラスの電圧が印加されるので、第２電極層２２０がプラス、第１電極層１２０がマイナスとなり、表示液４０に電界がかけられた状態となる。
【００５３】
そして、上記構成からなるセル５００において、表示液４００に電界をかけてから５秒後のテスト粒子８０の移動量を顕微鏡で観察した。なお、テスト粒子８０の移動量は、表示液中に分散する多数のテスト粒子８０の中からいくつかを選択し、そのテスト粒子８０の移動量をＰＣ（パーソナルコンピュータ）による画像解析で測定した。また、画像解析では、テスト粒子８０の移動量をもとに、ｘ方向への移動量と、ｙ方向への移動量とを求め、直進性（Ｔ）を示すｘ／ｙを算出した。これにより、３種類のテスト粒子８０の直進性の比較をおこなった。なお、テスト粒子８０は、１．球状粒子（スタンダード）、２．凸型粒子、３．ディンプル粒子の３種類とした。なお、本試験でいう「凸型粒子」とは、本実施形態での白色帯電粒子６０の表面形状を有する粒子（図３参照）をいい、「ディンプル粒子」とは、本実施形態での黒色帯電粒子５０の表面形状を有する粒子（図２参照）をいう。また、これら３種類のテスト粒子８０の径は全て同じとし、凸型粒子については母粒子の径を基準とした。
【００５４】
なお、本試験でいう「直進性」とは、テスト粒子８０が第１基板１００と第２基板２００との間を移動する際の、第１基板１００と第２基板２００との最短距離の方向に直交する方向へのテスト粒子８０の移動量に対する最短距離の方向に沿った移動量の割合を示すものとする。そこで、図９に示すように、セル５００の厚み方向（第１基板１００から第２基板２００に向かう方向）をｘ方向とし、当該厚み方向に直交する方向をｙ方向とした場合における、テスト開始から５秒後のテスト粒子８０のｘ方向への移動量と、ｙ方向への移動量とを求め、直進性（Ｔ）＝ｘ／ｙを算出することによって、テスト粒子８０の直進性を算出した。
【００５５】
次に、直進性評価試験の結果について説明する。図１０，図１１に示すように、凸型粒子のｘ方向への移動量は３．０（×１０−２ｍｍ）、ｙ方向への移動量は２２．０（×１０−２ｍｍ）であった。また、従来形状である球状粒子のｘ方向への移動量は６．３（×１０−２ｍｍ）、ｙ方向への移動量は５．３（×１０−２ｍｍ）であった。さらに、ディンプル粒子のｘ方向への移動量は２０．３（×１０−２ｍｍ）、ｙ方向への移動量は２．８（×１０−２ｍｍ）であった。
【００５６】
次に、上記試験結果について考察する。従来形状である球状粒子は、図１１に示すように、表示液４００の抵抗を受けながら第２基板２００側に移動する。よって、ｘ方向への移動量のみならず、ｙ方向への移動量が生じている。これに対し、凸型粒子は、ｘ方向への移動量よりもｙ方向への移動量が高くなった。これは、母粒子６１表面に設けられた多数の子粒子６２によって、表示液４００の抵抗を強く受け、直進性が大きく低下したことが原因と推測される。これに反し、ディンプル粒子では、ｙ方向への移動量よりもｘ方向への移動量がはるかに高くなった。これは、粒子表面に設けられた多数のディンプルによって、粒子後方に表示液４００がスムーズに回り込んだためと考えられ、表示液４００による抵抗が軽減されて直進性が向上したことが原因と推測される。
【００５７】
次に、表示パネル２の表示切替評価試験について説明する。この試験は、粒子形状の組合せと切替表示に要する時間との関係について調べるためのものである。まず、試験方法について説明する。本試験では、図１に示す表示パネル２と同じ実験用の表示パネル（図示外）を使用した。この表示パネルは、表示基板と背面基板との間の表示部に表示液が封入され、その表示液に２種類のテスト粒子１，２を互いに組み合わせて所定濃度となるようにそれぞれ投入されたものである。
【００５８】
ここで、テスト粒子１，２について説明する。テスト粒子１，２は、本実施形態でいう黒色帯電粒子５０及び白色帯電粒子６０に相当するものであり、帯電極性、色調が互いに異なるように調整した。なお、本試験では、テスト粒子１は白色、テスト粒子２は黒色に調整した。さらに、テスト粒子１，２で使用される粒子は、その表面形状の違いによって、１．球状粒子（スタンダード）、２．凸型粒子、３．ディンプル粒子を用意した。さらに、これら３種類の粒子を、テスト粒子１，２としてそれぞれ互いに組み合わせ、１．球状−球状、２．球状−ディンプル、３．球状−凸型、４．凸型−ディンプル、５．凸型−凸型、６．ディンプル−ディンプル、の計６種類の組合せを設定した。そして、これらの組合せで表示液４０内に投入し、表示パネル２における表示切替に要する時間を計測した。なお、本試験では、白表示から黒表示に切り替わる際に要した時間を計測した。
【００５９】
次に、切替表示評価試験の結果について説明する。図１２に示すように、球状−球状の組合せの場合は７０（ｍｓｅｃ）であり、球状−ディンプルの組合せの場合は４０（ｍｓｅｃ）であり、球状−凸型の組合せの場合は５０（ｍｓｅｃ）であり、凸型−ディンプル状の組合せの場合は３０（ｍｓｅｃ）であり、凸型−凸型の組合せの場合は１００（ｍｓｅｃ）であり、ディンプル−ディンプルの組合せの場合は５０（ｍｓｅｃ）であった。
【００６０】
次に、上記試験結果について考察する。従来の組合せである球状−球状では、表示切替時間が７０ｍｓｅｃであったのに対し、球状−ディンプルでは、表示切替時間が４０ｍｓｅｃと短くなっている。これは、ディンプル粒子であるテスト粒子２が、球状のテスト粒子１よりも直進性が向上し、テスト粒子１の直進性と差異が生じたためと推測される。つまり、テスト粒子１の直進性と、テスト粒子２の直進性とが互いに異なることによって衝突頻度が低下し、表示切替時間が短縮されたと考えられる。また、球状−凸型でも同様に、テスト粒子１の形状とテスト粒子２の形状とが互いに異なるので、テスト粒子１の直進性とテスト粒子２の直進性が異なり、粒子同士の衝突が回避され、表示切替時間が短縮されたと考えられる。しかし、何れの粒子もディンプルではなく、ディンプル粒子よりも移動速度は遅いので、表示切替時間は球状−ディンプルよりは長くなったと推測される。
【００６１】
そして、凸型−ディンプルでは３０ｍｓｅｃと最も短く、球状−ディンプルよりも表示切替時間が短くなった。これは、凸型粒子が球状粒子よりも表示液の抵抗を強く受けるため、真っ直ぐに移動するディンプル粒子に対して素早く移動し、より確実にディンプル粒子に対する衝突を回避できたからと推測される。一方、凸型−凸型では、表面形状が何れも表示液の抵抗を受け易い形状であり、各基板間の移動に要する時間が長くなるため、球状−球状に比べて表示切替時間がかなり長くなったと推測される。また、ディンプル−ディンプルでは、表面形状が何れも直進性の高いディンプルであるが、直進性が共に同じになってしまうので、かえって衝突頻度が高くなり、表示切替時間が長くなったものと推測される。以上のことから、粒子形状の組合せを凸型−ディンプルにすることによって、表示パネル２の表示切替時間を最も短縮することができる。つまり、表示パネル２の表示切替の応答性を最も向上できると判断された。
【００６２】
なお、以上の説明において、図１に示す表示電極層１２が本発明の「第１電極」に相当し、背面電極層２２が本発明の「第２電極」に相当し、黒色帯電粒子５０が本発明の「第１帯電粒子」に相当し、白色帯電粒子６０が本発明の「第２帯電粒子」に相当する。
【００６３】
以上説明したように、本実施形態である表示パネル２では、互いに表面形状の異なる黒色帯電粒子５０及び白色帯電粒子６０を用いることによって、黒色帯電粒子５０の直進性と、白色帯電粒子６０の直進性とを互いに異ならせ、これら粒子同士の衝突を回避することができる。例えば、黒色帯電粒子５０を多数のディンプル５１を表面に備えるディンプル粒子とし、白色帯電粒子６０を多数の子粒子６２を表面に備える凸型粒子とする。これにより、黒色帯電粒子５０は表示液４０の移動中における直進性が向上し、白色帯電粒子６０は表示液４０の抵抗を強く受けるので直進性が低下する。つまり、黒色帯電粒子５０は、表示基板１０及び背面基板２０の間を最短距離で移動するが、白色帯電粒子６０はその黒色帯電粒子５０を避けるようにして移動するので、黒色帯電粒子５０と白色帯電粒子６０との衝突を効果的に回避することができる。よって、表示パネル２の表示切替時間が短縮するので、表示切替の応答性を向上することができる。
【００６４】
なお、本発明の電気泳動表示媒体は、上記実施形態に限らず、各種変形が可能なことはいうまでもない。例えば、上記実施形態では、表示電極層１２の表面積と、背面電極層２２の表面積とは互いに同じであるが、互いに異ならせることによって、より確実に粒子同士の衝突を回避することができる。そこで、上記実施形態の変形例として、表示電極層の表面積と、背面電極層の表面積とが互いに異なる表示パネル６００について説明する。図１３乃至図１６は、変形例である表示パネル６００における黒色帯電粒子５０及び白色帯電粒子６０の動きを示す説明図である。なお、上記実施形態の表示パネル２と同じ構成部分については同符号を付して説明を省略する。
【００６５】
図１３に示すように、表示パネル６００は、表示パネル２と同様の構成を備え、上記実施形態の背面基板２０とは異なる背面基板９０を備えている。この背面基板９０は、筐体支持層９１と、該筐体支持層９１の上面の中央に設けられた背面電極層９２とから構成されている。この背面電極層９２は、表示電極層１２よりも表面積が小さくなっており、表示パネル６００の断面を見たときに、その両側に隙間を空けた状態で筐体支持層９１の上面に設けられている。なお、表示液４０、黒色帯電粒子５０及び白色帯電粒子６０は上記実施形態と同じであり、黒色帯電粒子５０は「ディンプル粒子」であり、白色帯電粒子６０は「凸型粒子」である。
【００６６】
次に、表示パネル６００の駆動時における黒色帯電粒子５０及び白色帯電粒子６０のそれぞれの動きについて、図１３乃至図１６を参照して説明する。なお、図１３乃至図１６では、黒色帯電粒子５０及び白色帯電粒子６０の動きを明確に説明するため、粒子径、粒子数等を変更して示している。
【００６７】
まず、図１３に示すように、表示電極層１２をマイナス、背面電極層９２をプラスにして表示部３０に電界を発生させた場合、プラスに帯電した黒色帯電粒子５０は表示基板１０側に移動して表示電極層１２に付着し、白色帯電粒子６０は背面基板２０側に移動して背面電極層９２に付着する。そして、複数の黒色帯電粒子５０は一列に並んだ状態で表示電極層１２に付着するが、背面電極層９２は背面基板９０の中央に配置されているので、複数の白色帯電粒子６０は団子状に折り重なって背面電極層９２に付着する。このとき、表示基板１０には黒色が表示される。
【００６８】
次いで、表示電極層１２をプラス、背面電極層９２をマイナスにして表示部３０にかかる電界の向きが切り替わった場合、図１４に示すように、黒色帯電粒子５０は表示電極層１２から離れ、白色帯電粒子６０は背面電極層９２から離れる。さらに、図１５に示すように、直進性の高い黒色帯電粒子５０は、背面電極層９２に向かって真っ直ぐに移動するので、その配列が崩れて表示部３０の中央に集合するように移動する。一方、表示液４０の抵抗を受け易い白色帯電粒子６０は、黒色帯電粒子５０の移動に伴って表示液４０の流れに押されるため、その中央で２つの集合に分断され、中央に集合する黒色帯電粒子５０の両側に回り込みながら移動する。
【００６９】
さらに、黒色帯電粒子５０が背面電極層９２に向かって移動し、白色帯電粒子６０がその黒色帯電粒子５０の周囲を取り囲みながら表示電極層１２に向かって移動することによって、黒色帯電粒子５０の配置と、白色帯電粒子６０の配置とが互いに入れ替わって逆転する。そして、図１６に示すように、黒色帯電粒子５０は背面電極層９２に団子状に折り重なった状態で付着し、白色帯電粒子６０は表示電極層１２に一列に配列した状態で付着する。このとき、表示基板１０には白色が表示される。このように、表示電極層１２及び背面電極層９２の表面積を互いに異ならせることによって、黒色帯電粒子５０を表示液４０内を移動中に中央に集合させることができる。
【００７０】
これにより、中央に集合する黒色帯電粒子５０とスペーサ３１又は隔壁３２との間に大きな隙間ができるので、その隙間を白色帯電粒子６０が通過することができる。つまり、上記実施形態のように、表示パネル２を断面で見たときに、表示基板１０上に一列に並ぶ黒色帯電粒子５０の両側と、スペーサ３１又は隔壁３２との間に隙間を形成できなくても、白色帯電粒子６０が余裕を持って通過できるほどの大きな隙間を形成することができる。これにより、異なる粒子同士の衝突をより確実に回避することができる。また、背面電極層９２の表面積を、表示電極層１２の表面積よりも小さくすることによって、表示基板１０に表示される色の表示領域を狭めることがない。
【００７１】
なお、このような変形例の他にも種々の変更が可能である。例えば、白色帯電粒子６０をディンプル粒子にして、黒色帯電粒子５０を凸型粒子にしてもよい。
【００７２】
また、上記実施形態では、表示基板１０及び背面基板２０に、表示電極層１２及び背面電極層２２がそれぞれ設けられているが、本発明は、これら電極（表示電極層１２及び背面電極層２２）を備えていない表示パネルにも適用可能である。
【産業上の利用可能性】
【００７３】
本発明の電気泳動表示媒体は、表示部を備えた様々な電子機器に適用可能である。
【図面の簡単な説明】
【００７４】
【図１】表示パネル２の概略構成を示す断面図である。
【図２】黒色帯電粒子５０の正面図である。
【図３】白色帯電粒子６０の正面図である。
【図４】黒色帯電粒子５０及び白色帯電粒子６０の動きを示す説明図である。
【図５】黒色帯電粒子５０及び白色帯電粒子６０の動きを示す説明図である。
【図６】黒色帯電粒子５０及び白色帯電粒子６０の動きを示す説明図である。
【図７】黒色帯電粒子５０及び白色帯電粒子６０の動きを示す説明図である。
【図８】黒色帯電粒子５０及び白色帯電粒子６０の動きを示す説明図である。
【図９】直進性評価試験の試験方法を示した説明図である。
【図１０】直進性評価試験の結果を示す表である。
【図１１】凸型粒子、球状粒子、ディンプル粒子の移動量を示した説明図である。
【図１２】表示切替時間評価試験の結果を示す表である。
【図１３】変形例である表示パネル６００における黒色帯電粒子５０及び白色帯電粒子６０の動きを示す説明図である。
【図１４】変形例である表示パネル６００における黒色帯電粒子５０及び白色帯電粒子６０の動きを示す説明図である。
【図１５】変形例である表示パネル６００における黒色帯電粒子５０及び白色帯電粒子６０の動きを示す説明図である。
【図１６】変形例である表示パネル６００における黒色帯電粒子５０及び白色帯電粒子６０の動きを示す説明図である。
【符号の説明】
【００７５】
２    表示パネル
１０    表示基板
１１    表示層
１２    表示電極層
２０    背面基板
２１    筐体支持層
２２    背面電極層
３０    表示部
３１    スペーサ
３２    隔壁
４０    表示液
５０    黒色帯電粒子
５１    ディンプル
６０    白色帯電粒子
６１    母粒子
６２    子粒子
９０    背面基板
９１    筐体支持層
９２    背面電極層
６００    表示パネル
【図１】
2008052084.tif 000003
【図２】
2008052084.tif 000004
【図３】
2008052084.tif 000005
【図４】
2008052084.tif 000006
【図５】
2008052084.tif 000007
【図６】
2008052084.tif 000008
【図７】
2008052084.tif 000009
【図８】
2008052084.tif 000010
【図９】
2008052084.tif 000011
【図１０】
2008052084.tif 000012
【図１１】
2008052084.tif 000013
【図１２】
2008052084.tif 000014
【図１３】
2008052084.tif 000015
【図１４】
2008052084.tif 000016
【図１５】
2008052084.tif 000017
【図１６】
2008052084.tif 000018